(57)【要約】  手乾燥装置（１）は、壁面（２０）に取り付けられる本体ケース（２）と、本体ケース（２）の内部に高圧空気（１３）を送出する電動送風機（３）と、電動送風機（３）の下方に設けられ高圧空気（１３）を吹き出すノズル部（４）と、ノズル部（４）の下方に挿入された手（１５）を検知して電動送風機（３）を作動させる手検知部（８）と、手検知部（８）の検知範囲に手（１５）が挿入されると電動送風機（３）が動作する有効状態と、検知範囲に手（１５）が挿入されても電動送風機（３）が動作しない無効状態とを切り替える有効無効切り替えスイッチを含む操作部（９）とを備え、本体ケース（２）は、壁面（２０）に取り付けられた際に下方を向き、ノズル部（４）及び操作部（９）を保持するノズル保持面（７）を有し、有効無効切り替えスイッチは、ノズル保持面（７）の手検知部（８）の光軸中心（６）よりも本体ケース（２）の前面（２１）側に設けられている。
2019207686.tif 000002
【特許請求の範囲】
【請求項１】
壁面に取り付けられる本体ケースと、
前記本体ケースの内部に高圧空気を送出する電動送風機と、
前記電動送風機の下方に設けられ前記高圧空気を吹き出すノズル部と、
前記ノズル部の下方に挿入された手を検知して前記電動送風機を作動させる手検知部と、
前記手検知部の検知範囲に手が挿入されると前記電動送風機が動作する有効状態と、前記手検知部の検知範囲に手が挿入されても前記電動送風機が動作しない無効状態とを切り替える有効無効切り替えスイッチを含む操作部とを備え、
前記本体ケースは、前記壁面に取り付けられた際に下方を向き、前記ノズル部及び前記操作部を保持するノズル保持面を有し、
前記有効無効切り替えスイッチは、前記ノズル保持面の前記手検知部の光軸中心よりも前記本体ケースの前面側に設けられていることを特徴とする手乾燥装置。
【請求項２】
前記操作部の前端部は、前記手検知部の光軸中心からの距離が、前記本体ケースの前後方向に６０ｍｍ以下であることを特徴とする請求項１に記載の手乾燥装置。
【請求項３】
前記操作部は、前記ノズル保持面の前記ノズル部の側方に設けられることを特徴とする請求項１又は２に記載の手乾燥装置。
【請求項４】
前記操作部の前端部が前記本体ケースの前端部に隣接し、かつ前記操作部の後端部が前記ノズル部の前端部に隣接していることを特徴とする請求項１から３のいずれか１項に記載の手乾燥装置。
【請求項５】
前記操作部は、第１操作部と第２操作部とに分けられており、
前記第１操作部は、前記有効無効切り替えスイッチ以外のスイッチを有し、
前記第２操作部は、前記有効無効切り替えスイッチを有し、
前記第２操作部は、前記手検知部よりも前記本体ケースの前面側の前記ノズル保持面に設けられることを特徴とする請求項１から４のいずれか１項に記載の手乾燥装置。
【請求項６】
前記本体ケースの外側に、前記ノズル保持面の少なくとも一部を覆い、前記本体ケースに着脱可能な着脱カバーを有することを特徴とする請求項１から５のいずれか１項に記載の手乾燥装置。
【請求項７】
前記操作部は、前記着脱カバーの内側に設けられることを特徴とする請求項６に記載の手乾燥装置。
【請求項８】
前記本体ケースの下部に、外部吸気口から前記電動送風機へ吸い込まれる空気中の塵埃を除去する着脱可能なフィルタを有し、
前記フィルタを着脱する開口は、前記着脱カバーで覆われていることを特徴とする請求項６又は７に記載の手乾燥装置。
【発明の詳細な説明】
【技術分野】
【０００１】
本発明は、濡れた手を乾燥させる手乾燥装置に関する。
【背景技術】
【０００２】
利用者の手を検知する手検知部と、温風空気又は高速空気の気流を発生させる電動送風機とを有し、手検知部が手を検知した際に手に気流を当てて濡れた手を乾燥させる手乾燥装置が知られている。手乾燥装置は、清掃又はメンテナンスのために、手検知部の検知範囲に手が挿入されると電動送風機が作動する有効状態から、手検知部の検知範囲に手が挿入されても電動送風機が作動しない無効状態に移行可能とされる。手検知部の検知範囲に手が挿入されても電動送風機が作動しない無効状態は、手乾燥装置の電源をオフするか、手検知部を無効化することによって実現される。したがって、手乾燥装置は、電源のオンオフを切り替える電源スイッチ又は手検知部の有効無効を切り替える手検知部スイッチを有する操作部が設けられる。以下、電源スイッチ及び手検知部スイッチを有効無効切り替えスイッチという。操作部には、有効無効切り替えスイッチに加え、風量又は温度の調整といった運転モード切替えスイッチが備えられている。【０００３】
特許文献１には、本体ケースは、床面と対向し且つノズル部を保持するノズル保持面を有し、ノズル保持面の一部は電動送風機に向かう方向に凹んだ凹部を有し、凹部は水平面に対して傾斜している第１平面を有し、第１平面は本体ケースの前面側から本体ケースの後面側である壁面側に向かって床面方向に傾斜しており、第１平面に操作部を設けることで、手乾燥装置の一般利用者が容易に操作部に触れることを防止しつつ、清掃又はメンテナンスのために操作部を操作する操作者にとって操作部の視認性を向上させることができる構成とした手乾燥装置が開示されている。
【先行技術文献】
【特許文献】
【０００４】
【特許文献１】特開２０１５−１７７８５１号公報
【発明の概要】
【発明が解決しようとする課題】
【０００５】
特許文献１に開示される手乾燥装置は、手を乾燥させる目的で手乾燥装置を使用する利用者が容易に触れることがないように、操作部が設置されている。しかし、本体ケースの正面側から本体ケース下部に手を抜き差しするという点においては、操作者の動作は、利用者の動作と同様であり、手検知部の反応により操作者にとって意図しない手乾燥装置の動作を引き起こすという課題があった。【０００６】
本発明は、このような従来の課題を解決するものであり、利用者が容易に操作部に触れることを防止し、操作者にとって、意図しない手乾燥装置の動作を防止した手乾燥装置を得ることを目的とする。
【課題を解決するための手段】
【０００７】
上述した課題を解決し、目的を達成するために、本発明は、壁面に取り付けられる本体ケースと、本体ケースの内部に高圧空気を送出する電動送風機と、電動送風機の下方に設けられ高圧空気を吹き出すノズル部と、ノズル部の下方に挿入された手を検知して電動送風機を作動させる手検知部と、手検知部の検知範囲に手が挿入されると電動送風機が作動する有効状態と、手検知部の検知範囲に手が挿入されても電動送風機が作動しない無効状態とを切り替える有効無効切り替えスイッチを含む操作部とを備える。本体ケースは、壁面に取り付けられた際に下方を向き、ノズル部及び操作部を保持するノズル保持面を有する。有効無効切り替えスイッチは、ノズル保持面の手検知部の光軸中心よりも本体ケースの前面側に設けられている。
【発明の効果】
【０００８】
本発明に係る手乾燥装置は、利用者が容易に操作部に触れることを防止し、操作者にとって、意図しない手乾燥装置の動作を防止できるという効果を奏する。
【図面の簡単な説明】
【０００９】
【図１】本発明の実施の形態１に係る手乾燥装置の模式断面図
【図２】実施の形態１に係る手乾燥装置のノズル保持面における操作部の第１の配置例を示す図
【図３】実施の形態１に係る手乾燥装置のノズル保持面における操作部の第２の配置例を示す図
【図４】実施の形態１に係る手乾燥装置のノズル保持面における操作部の第３の配置例を示す図
【図５】実施の形態１に係る手乾燥装置のノズル保持面における操作部の第４の配置例を示す図
【図６】実施の形態１に係る手乾燥装置のノズル保持面における操作部の第５の配置例を示す図
【図７】実施の形態２に係る手乾燥装置の模式断面図
【図８】実施の形態２に係る手乾燥装置のカバー部を外した状態での模式断面図
【発明を実施するための形態】
【００１０】
以下に、本発明の実施の形態に係る手乾燥装置を図面に基づいて詳細に説明する。なお、この実施の形態によりこの発明が限定されるものではない。
【００１１】
実施の形態１．
図１は、本発明の実施の形態１に係る手乾燥装置の模式断面図である。実施の形態１に係る手乾燥装置１は、本体ケース２の内部に高圧空気を送出する電動送風機３と、電動送風機３の下方に設置されたノズル部４とを備えている。本体ケース２の背面側には壁掛け部分があり、この壁掛け部分によって壁面２０に本体ケース２が取り付けられる。本体ケース２の下方には、手乾燥空間５が形成されており、手乾燥装置１の利用者が手１５を抜き差しできるようになっている。
【００１２】
本体ケース２は、ノズル部４を保持するノズル保持面７を有している。ノズル保持面７は、手乾燥空間５の上方にあり、床面と平行になっている。ノズル保持面７には操作部９と手検知部８とが備え付けられている。なお、ノズル保持面７は、本体ケース２が壁面２０に取り付けられた際に下方を向けばよく、必ずしも床面と平行でなくてもよい。
【００１３】
操作部９は、手検知部８の検知範囲に手１５が挿入されると電動送風機３が作動する有効状態と、手検知部８の検知範囲に手１５が挿入されても電動送風機３が作動しない無効状態とを切り替える有効無効切り替えスイッチと、運転モードを切り替える運転モードスイッチとを含んでいる。有効無効切り替えスイッチは、手乾燥装置１のオンオフを切り替える電源スイッチ及び手検知部８のオンオフを切り替える手検知部スイッチの少なくとも一方を含む。操作部９は、前方斜め上からの視点では、本体ケース２の陰となって目視できない位置に設置されているため、一般利用者は操作部９の存在に気付きにくい。したがって、一般利用者が容易に操作部９に触れることは防止される。
【００１４】
手検知部８は、発光素子と受光素子とにより構成され、発光素子から発せられた光を受光素子が受ける際に、光の反射量及び反射距離を検出し、それらの変化により、手乾燥空間５に挿入された手１５を検知する。
【００１５】
また、本体ケース２の下部には外部吸気口から吸気風路１０を通じて電動送風機３へ吸い込まれる空気中の塵埃を除去するため、抜き差し動作で着脱できる樹脂製又は金属製のフィルタ１１が設置されている。フィルタ１１は、フィルタ１１の着脱用の開口であるフィルタ抜き差し口１２を通じて本体ケース２に着脱される。
【００１６】
手乾燥装置１の利用者が手１５を手乾燥空間５に挿入すると、手検知部８が反応して電動送風機３が作動し、ノズル部４から高圧空気１３が吹き出す。ノズル部４から手乾燥空間５に吹き出した高圧空気１３は、手乾燥装置１の利用者の手１５に当たり、手１５に付着している水滴を吹き飛ばし手１５を乾燥させる。その際、手乾燥装置１の利用者は、本体ケース２の前方から背面方向に向かって手１５を挿入する場合が多い。利用者の手１５が手検知部８の検知範囲から一定時間外れると電動送風機３が停止する。利用者の手１５から吹き飛ばされた水滴は、水受け部１４で回収される。
【００１７】
図２は、実施の形態１に係る手乾燥装置のノズル保持面における操作部の第１の配置例を示す図である。操作部９の少なくとも一部は、ノズル保持面７において、手検知部８の光軸中心６よりも本体ケース２の前面２１側に配置されている。なお、光軸中心６とは手検知部８の発光素子の中心である。
【００１８】
操作部９の少なくとも一部が、ノズル保持面７において、手検知部８の光軸中心６よりも前方に配置されているため、操作者が手乾燥装置１の正面側から操作部９を操作する際に、操作部９の方が手検知部８よりも操作者の近くに位置する。したがって、操作者は、手検知部８の検知範囲外で操作部９を操作できる。
【００１９】
すなわち操作者は、本体ケース２の前方から背面方向に向かって手１５を手乾燥空間５に挿入するという、利用者と同様の動作を行うにも関わらず、操作者は手検知部８を反応させることなく操作部９を操作できる。
【００２０】
操作者は下から覗き込んで操作部９を操作することになるため、操作時に電動送風機３が作動した場合、高圧空気１３が操作者の顔に吹き付けられることになり、操作者に不快感を抱かせることがある。実施の形態１に係る手乾燥装置１は、操作者が意図せず電動送風機３が作動することを防止することで、操作者に不快感を抱かすことなく操作部９の操作が可能である。
【００２１】
また、操作時に操作者の手１５に高圧空気１３が吹き付けられることもなくなるため、高圧空気１３によって操作部９への操作が阻害されることもなくなり、操作性を向上させることができる。
【００２２】
また、操作部９の前端部９１は、手検知部８の光軸中心６からの本体ケース２の前後方向の距離が６０ｍｍ以下であることが好ましい。操作部９の前端部９１を、本体ケース２の前後方向において手検知部８の光軸中心６から６０ｍｍ以下とすることで、本体ケース２の前面２１から手検知部８までの前後方向の距離を短く抑えつつ、操作部９を手検知部８よりも本体ケース２の前面２１側に設けることができる。すなわち、本体ケース２の前後方向において、操作部９の前端部９１と手検知部８の光軸中心６との距離を６０ｍｍ以下とすることにより、本体ケース２の前後方向において、本体ケース２の前面２１から手検知部８の光軸中心６までの距離は最長で６０ｍｍとなるため、手乾燥空間５内に利用者の手１５を検知する範囲を確保することができる。
【００２３】
図３は、実施の形態１に係る手乾燥装置のノズル保持面における操作部の第２の配置例を示す図である。操作部９は、ノズル保持面７のノズル部４の側方に設けてもよい。ノズル保持面７のノズル部４の側方に操作部９を設けることにより、ノズル部４と手検知部８との間に操作部９を設ける必要がないため、ノズル部４と手検知部８の光軸中心６の前後方向の距離を短くできる。すなわち、高圧空気１３の吹き出し口と手検知範囲とを近づけることができるため、利用者にとっての使い勝手を向上させることができる。
【００２４】
図４は、実施の形態１に係る手乾燥装置のノズル保持面における操作部の第３の配置例を示す図である。操作部９の前端部９１が本体ケース２の前面２１に隣接し、かつ操作部９の後端部９２がノズル部４の前端部４１に隣接してもよい。操作部９の前端部９１が本体ケース２の前面２１に隣接し、かつ操作部９の後端部９２がノズル部４の前端部４１に隣接することにより、手検知部８から手乾燥空間５の後端まで、本体ケース２の前後方向の距離を確保した場合に、本体ケース２の前面２１から手乾燥空間５後端までの前後方向の距離を最短にすることができる。すなわち手１５を挿入する手乾燥空間５を確保しつつ、本体ケース２の奥行寸法を最小に構成することができる。
【００２５】
図５は、実施の形態１に係る手乾燥装置のノズル保持面における操作部の第４の配置例を示す図である。操作部９は、運転モードを切り替えるスイッチを備えた第１操作部９ａと、有効無効切り替えスイッチを備えた第２操作部９ｂとに分けてノズル保持面７に配置してもよい。操作部９が第１操作部９ａと第２操作部９ｂとに分かれた構成によれば、手検知部８の光軸中心６よりも本体ケース２の前面２１側には第２操作部９ｂのみ設け、手検知部８の光軸中心６よりも本体ケース２の背面側に第１操作部９ａを設けることができる。すなわち、操作者が第２操作部９ｂを操作する際は、手検知部８の検知範囲の外で操作することができる。したがって、まず第２操作部９ｂを操作し、手乾燥装置１又は手検知部８をオフにした後で、第１操作部９ａを操作することで、操作者が意図せず電動送風機３が作動することを防止しつつ、第１操作部９ａの操作をすることができる。このため、手検知部８よりも本体ケース２の前面２１側に配置するスイッチの数を最小にでき、ノズル保持面７の手検知部８の光軸中心６よりも本体ケース２前面２１側の面積を小さくすることができる。
【００２６】
図６は、実施の形態１に係る手乾燥装置のノズル保持面における操作部の第５の配置例を示す図である。操作部９を第１操作部９ａと第２操作部９ｂとに分ける場合、第１操作部９ａは、本体ケース２の側端部２２に隣接させても良い。第１操作部９ａを本体ケース２の側端部２２に隣接させることにより、操作者が第２操作部９ｂを操作する際に、手検知部８の検知範囲の外で操作しやすくなる。
【００２７】
実施の形態１に係る手乾燥装置１は、操作者が意図せず電動送風機３が作動することを防止することで、操作性の向上を図ることができる。
【００２８】
実施の形態２．
本発明の実施の形態２に係る手乾燥装置について説明する。なお、実施の形態１に係る手乾燥装置と相違する部分のみ説明し、共通する部分の説明は省略する。図７は、実施の形態２に係る手乾燥装置の模式断面図である。図８は、実施の形態２に係る手乾燥装置のカバー部を外した状態での模式断面図である。実施の形態２に係る手乾燥装置１は、本体ケース２の下部に、ノズル保持面７の少なくとも一部を覆う着脱可能な着脱カバー１６を有している。
【００２９】
着脱カバー１６は、本体ケース２に対して着脱自在とされている。また、着脱カバー１６の外周縁部における上面部は、本体ケース２のノズル保持面７に対応した形状を有する。これにより、着脱カバー１６の外周縁部の上面部が本体ケース２のノズル保持面７に嵌ることで、着脱カバー１６が本体ケース２に固定される。したがって、着脱カバー１６と本体ケース２のノズル保持面７とは嵌め合い構造によって連結されて固定可能とされている。
【００３０】
これにより、実施の形態２にかかる手乾燥装置１は、汚れが溜まりやすい本体ケース２の下部に固定された着脱カバー１６を本体ケース２から取り外して容易に清掃することができる。したがって、手１５を乾燥する際に飛び散った水滴が着脱カバー１６に付着し、着脱カバー１６が汚れても、着脱カバー１６を取り外して清掃することで、着脱カバー１６を清潔に保つことができる。
【００３１】
また、着脱カバー１６の下面部は平坦な面であり、本体ケース２下部のノズル保持面７に備えられた操作部９を覆っていることが好ましい。着脱カバー１６の下面部は平坦な面であって操作部９を覆う構造とすることにより、操作部９の凹凸を着脱カバー１６で覆うことで本体ケース２の下部を平坦な面にすることができる。本体ケース２の下部は、手１５を乾燥する際に飛び散った水滴が付着し、使用を継続すると汚れが溜まりやすい場所であるため平坦な面にすることで清掃を容易にすることができる。また、着脱カバー１６で操作部９を覆うことにより、利用者が容易に操作部９に触れることができない。
【００３２】
また、フィルタ抜き差し口１２が操作部９とともに着脱カバー１６で覆われていることが好ましい。フィルタ抜き差し口１２を着脱カバー１６で覆う構造とすることにより、フィルタ抜き差し口１２と操作部９とを別々のカバーで覆う構造と比べて、部品点数を減らすことができ、さらに複数の部品を利用することにより生じる部品間の隙間を減らすことができる。したがって、実施の形態２に係る手乾燥装置１は、本体ケース２と着脱カバー１６を形成するための部品組み立て工数を削減することができ、さらに部品と部品の隙間に溜まる汚れの発生を抑えることができる。
【００３３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３４】
１  手乾燥装置、２  本体ケース、３  電動送風機、４  ノズル部、５  手乾燥空間、６  光軸中心、７  ノズル保持面、８  手検知部、９  操作部、９ａ  第１操作部、９ｂ  第２操作部、１０  吸気風路、１１  フィルタ、１２  フィルタ抜き差し口、１３  高圧空気、１４  水受け部、１５  手、１６  着脱カバー、２０  壁面、２１  前面、２２  側端部、４１，９１  前端部、９２  後端部。
【図１】
2019207686.tif 000003
【図２】
2019207686.tif 000004
【図３】
2019207686.tif 000005
【図４】
2019207686.tif 000006
【図５】
2019207686.tif 000007
【図６】
2019207686.tif 000008
【図７】
2019207686.tif 000009
【図８】
2019207686.tif 000010
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
壁面に取り付けられる本体ケースと、
前記本体ケースの内部に高圧空気を送出する電動送風機と、
前記電動送風機の下方に設けられ前記高圧空気を吹き出すノズル部と、
前記ノズル部の下方に挿入された手を検知して前記電動送風機を作動させる手検知部と、
前記手検知部の検知範囲に手が挿入されると前記電動送風機が動作する有効状態と、前記手検知部の検知範囲に手が挿入されても前記電動送風機が動作しない無効状態とを切り替える有効無効切り替えスイッチを含む操作部とを備え、
前記本体ケースは、前記壁面に取り付けられた際に下方を向き、前記ノズル部及び前記操作部を保持するノズル保持面を有し、
前記操作部全体が、前記ノズル保持面の前記手検知部の光軸中心よりも前記本体ケースの前面側に設けられていることを特徴とする手乾燥装置。
【請求項２】
前記操作部の前端部は、前記手検知部の光軸中心からの距離が、前記本体ケースの前後方向に６０ｍｍ以下であることを特徴とする請求項１に記載の手乾燥装置。
【請求項３】
前記操作部は、前記ノズル保持面の前記ノズル部の側方に設けられることを特徴とする請求項１又は２に記載の手乾燥装置。
【請求項４】
前記操作部の前端部が前記本体ケースの前端部に隣接し、かつ前記操作部の後端部が前記ノズル部の前端部に隣接していることを特徴とする請求項１から３のいずれか１項に記載の手乾燥装置。
【請求項５】
前記本体ケースの外側に、前記ノズル保持面の少なくとも一部を覆い、前記本体ケースに着脱可能な着脱カバーを有することを特徴とする請求項１から４のいずれか１項に記載の手乾燥装置。
【請求項６】
前記操作部は、前記着脱カバーの内側に設けられることを特徴とする請求項５に記載の手乾燥装置。
【請求項７】
前記本体ケースの下部に、外部吸気口から前記電動送風機へ吸い込まれる空気中の塵埃を除去する着脱可能なフィルタを有し、
前記フィルタを着脱する開口は、前記着脱カバーで覆われていることを特徴とする請求項５又は６に記載の手乾燥装置。
【国際調査報告】
2019207686.tif 000011
2019207686.tif 000012